(57)【要約】    【構成】  電子装置１０は電池収容部１４を含み、電池収容部には電池ユニット（５０）が収容される。電池ユニットの本体から導出された線（６０ａ−６０ｄ）には雄型コネクタ（６２）が設けられ、ハウジング１２内部に設けられる回路基板３８に固定された雌型コネクタ４２に挿入（接続）される。そして、電池蓋３２がハウジングに装着される。電池蓋には、装着したときに内面側となる面に突起（３２ｄ）が設けられ、この突起は雄型コネクタと雌型コネクタの接続状態が解除されるのを阻止する。つまり、雄型コネクタの抜ける方向への移動を規制する。    【効果】  コネクタが離脱するのを防止することができる。【選択図】  図１
2014102920.tif 000002
【特許請求の範囲】
【請求項１】
手持ち型電子装置であって、
線で連結された本体と電池用コネクタを有する電池、
前記電池を収容する収容部、
前記収容部を覆う電池蓋、および
前記収容部の内部に設けられ、前記電池用コネクタと接続される内蔵コネクタを備え、
前記収容部に前記電池を収容し、かつ前記電池用コネクタと前記内蔵コネクタとを接続した状態で、当該収容部を前記電池蓋で覆った場合に、当該電池用コネクタと当該内蔵コネクタの接続状態が解除されるのを阻止する突起を当該電池蓋に設けた、手持ち型電子装置。
【請求項２】
前記電池蓋はスライドして前記電子装置に装着され、
前記電池蓋のスライド方向と前記電池用コネクタの前記内蔵コネクタへの接続方向が一致し、
前記突起は、前記電池用コネクタの前記接続方向と反対側の第１面に近接または当接する、請求項１記載の手持ち型電子装置。
【請求項３】
前記突起は、前記電池用コネクタの前記接続方向と反対側の第１面に近接または当接し、
前記第１面および当該第１面の反対側の第２面を有する把手部を前記電池用コネクタに設けた、請求項１記載の手持ち型電子装置。
【請求項４】
前記突起は弾性変形可能に設けられる、請求項１ないし３のいずれかに記載の手持ち型電子装置。
【請求項５】
前記突起は、一部が前記電池蓋に固着された板部材を有し、前記電池用コネクタに近接または当接する部分が当該一部よりも当該電池用コネクタ寄りに設けられる、請求項４記載の手持ち型電子装置。
【請求項６】
収容部、突起が設けられかつ前記収容部を覆う電池蓋、および前記収容部の内部に設けられる内蔵コネクタを備える手持ち型電子装置の当該収容部に収容されて使用される、コネクタ付き電池であって、
本体に線で連結され、前記内蔵コネクタと接続され、前記収容部を前記電池蓋で覆ったとき、当該内蔵コネクタとの接続状態が解除されるのを当該電池蓋に設けられた前記突起によって阻止される部材を有する電池用コネクタを備える、コネクタ付き電池。
【請求項７】
前記部材は、前記電池用コネクタの前記接続方向と反対側の面が前記突起に近接または当接するように形成される、請求項６記載のコネクタ付き電池。
【請求項８】
前記電池用コネクタに凸部を設けた、請求項６または７記載のコネクタ付き電池。
【請求項９】
前記凸部は、前記電池用コネクタの接続方向と反対側の第１面および当該第１面の反対側の第２面を有し、
前記第１面は前記突起に近接または当接して前記内蔵コネクタとの接続状態が解除されるのを阻止するために用いられ、
前記第２面は前記接続方向と反対の前記電池用コネクタを引き抜く方向への移動のために用いられる、請求項８記載のコネクタ付き電池。
【請求項１０】
前記線は、プラスの電源線、マイナスの電源線および識別信号を出力する信号線を含み、前記プラスの電源線と前記信号線の間に前記マイナスの電源線を配列して前記電池用コネクタに接続した、請求項６ないし９のいずれかに記載のコネクタ付き電池。
【請求項１１】
収容部、前記収容部の内部に設けられる内蔵コネクタ、および線で本体と連結され、前記内蔵コネクタと接続される電池用コネクタを有し、前記収容部に収容される電池を備える、手持ち型電子装置に用いられ、前記収容部を覆う電池蓋であって、
前記収容部に前記電池を収容し、かつ前記電池用コネクタと前記内蔵コネクタとを接続した状態で、当該収容部を覆った場合に、当該電池用コネクタと当該内蔵コネクタの接続状態が解除されるのを阻止する突起を設けた、電池蓋。
【請求項１２】
前記突起は弾性変形可能に設けられる、請求項１１記載の電池蓋。
【請求項１３】
前記突起は、一部が前記電池蓋に固着された板部材を有し、前記電池用コネクタに近接または当接する部分が当該一部よりも当該電池用コネクタ寄りに設けられる、請求項１２記載の電池蓋。
【請求項１４】
スライドして前記電子装置に装着され、
スライド方向と前記電池用コネクタの前記内蔵コネクタへの接続方向が一致し、
前記突起は、前記電池用コネクタの前記接続方向と反対側の面に近接または当接する、請求項１１ないし１３のいずれかに記載の電池蓋。
【請求項１５】
手持ち型電子装置の電池収容部に収容される電池用のコネクタであって、
コネクタ本体部に凹部を設けることにより、端部に凸部が形成され
前記凹部に指先を入れて引き抜き方向に動かすことによって接続状態を解除可能であり、
電池蓋で前記収容部を覆ったときに、当該凸部の端面が当該電池蓋に設けられた突起に近接または当接することにより、前記手持ち型装置との接続状態の解除を阻止する、コネクタ。
【請求項１６】
線で連結された本体と電池用コネクタを有する電池、
前記電池を収容する収容部、
前記収容部を覆う電池蓋、および
前記収容部の内部に設けられ、前記電池用コネクタと接続される内蔵コネクタを備える、手持ち型電子装置のコネクタ離脱防止方法であって、
前記収容部に前記電池を収容し、かつ前記電池用コネクタと前記内蔵コネクタとを接続した状態で、当該収容部を前記電池蓋で覆った場合に、当該電池蓋に設けた突起を当該電池用コネクタに近接または当接するように配置することにより、当該内蔵コネクタと当該電池用コネクタの接続状態が解除されるのを阻止する、コネクタ離脱防止方法。
【発明の詳細な説明】
【技術分野】
【０００１】
この発明は手持ち型電子装置、コネクタ付き電池、電池蓋、コネクタおよびコネクタ離脱防止方法に関し、特にたとえば、電池をコネクタで接続する、手持ち型電子装置、コネクタ付き電池、電池蓋、コネクタおよびコネクタ離脱防止方法に関する。
【背景技術】
【０００２】
背景技術の一例が特許文献１に開示される。この特許文献１に開示された携帯型電子機器ケースの電池パック収納部構造では、電池パックを電池桶に収納する場合に、電池パックを電池桶内に押し込んで、電池パックの嵌合突起を電池桶の嵌合溝と嵌合させることにより、電池パックの電極と電池桶内の電源供給端子とを接続する。
【先行技術文献】
【特許文献】
【０００３】
【特許文献１】特開２００９−３２５９５号
【発明の概要】
【発明が解決しようとする課題】
【０００４】
この特許文献１に開示された携帯型電子機器ケースの電池パック収納部構造では、電池パックの側面に設けられた電極が電池桶内の電源供給端子に直接接続されるため、電池パックから延びるケーブルやコネクタのような部品が設けられていない。したがって、コネクタの離脱を防止するための機構も設けられていない。
【０００５】
それゆえに、この発明の主たる目的は、新規な、手持ち型電子装置、コネクタ付き電池、電池蓋、コネクタおよびコネクタ離脱防止方法を提供することである。
【０００６】
また、この発明の他の目的は、電池から延びるケーブルに設けられたコネクタの離脱を防止することができる、手持ち型電子装置、コネクタ付き電池、電池蓋、コネクタおよびコネクタ離脱防止方法を提供することである。
【課題を解決するための手段】
【０００７】
第１の発明は、手持ち型電子装置であって、電池、収容部、電池蓋、および内蔵コネクタを備える。電池は、線で連結された本体と電池用コネクタとを有する。収容部は、電池を収容する。電池蓋は、収容部を覆う。内蔵コネクタは、収容部の内部に設けられ、電池用コネクタと接続される。収容部に電池を収容し、かつ電池用コネクタと内蔵コネクタとを接続した状態で、当該収容部を電池蓋で覆った場合に、当該電池用コネクタと当該内蔵コネクタの接続状態が解除されるのを阻止する突起が当該電池蓋に設けられる。
【０００８】
第１の発明によれば、電池蓋に設けた突起によって電池用コネクタと内蔵コネクタの接続状態が解除されるのを阻止するため、コネクタが離脱するのを防止することができる。
【０００９】
第２の発明は、第１の発明に従属し、電池蓋はスライドして電子装置に装着され、電池蓋のスライド方向と電池用コネクタの内蔵コネクタへの接続方向が一致し、突起は、電池用コネクタの接続方向と反対側の第１面に近接または当接する。たとえば、突起が第１面に当接する場合には、電池用コネクタの接続方向に押し込む力が働く。
【００１０】
第２の発明によれば、コネクタの接続状態が解除するのを阻止するだけでなく、接続状態を強固にすることができる。
【００１１】
第３の発明は、第１の発明に従属し、突起は、電池用コネクタの接続方向と反対側の第１面に近接または当接する。第１面および当該第１面の反対側の第２面を有する把手部を電池用コネクタに設けた。たとえば、電池用コネクタを離脱させる場合に、把手部の第２面に指を掛けて、接続方向と逆向きの引き抜く方向へ移動させる。
【００１２】
第３の発明によれば、把手を設けるので、電池用コネクタを離脱させる場合には、簡単に引き抜くことができる。
【００１３】
第４の発明は、第１ないし第３の発明のいずれかに従属し、突起は弾性変形可能に設けられる。たとえば、突起が電池用コネクタに当接する場合には、弾性変形されたことによる復元力が働き、電池用コネクタが内蔵コネクタ側に付勢される。
【００１４】
第４の発明によれば、電池用コネクタが内蔵コネクタ側に付勢される場合には、接続状態が解除されるのを阻止するだけでなく、解除される方向への電池用コネクタの移動も阻止することができる。また、突起は弾性変形するので、電池蓋と収容部の位置関係や電池蓋における突起の位置のような製品毎の寸法誤差を、弾性変形する範囲において吸収することができる。
【００１５】
第５の発明は、第４の発明に従属し、突起は、一部が電池蓋に固着された板部材を有し、電池用コネクタに近接または当接する部分が当該一部よりも当該電池用コネクタ寄りに設けられる。たとえば、板部材のうち、電池蓋に固着された部分以外を電池蓋に固着させないことにより、弾性変形可能な突起が設けられる。
【００１６】
第５の発明によれば、簡単な構成により弾性変形可能な突起を設けることができる。
【００１７】
第６の発明は、収容部、突起が設けられかつ収容部を覆う電池蓋、および収容部の内部に設けられる内蔵コネクタを備える手持ち型電子装置の当該収容部に収容されて使用される、コネクタ付き電池であって、本体に線で連結され、内蔵コネクタと接続され、収容部を電池蓋で覆ったとき、当該内蔵コネクタとの接続状態が解除されるのを当該電池蓋に設けられた突起によって阻止される部材を有する電池用コネクタを備える、コネクタ付き電池である。
【００１８】
第７の発明は、収容部、収容部の内部に設けられる内蔵コネクタ、および線で本体と連結され、内蔵コネクタと接続される電池用コネクタを有し、収容部に収容される電池を備える、手持ち型電子装置に用いられ、収容部を覆う電池蓋であって、収容部に電池を収容し、かつ電池用コネクタと内蔵コネクタとを接続した状態で、当該収容部を覆った場合に、当該電池用コネクタと当該内蔵コネクタの接続状態が解除されるのを阻止する突起を設けた、電池蓋である。
【００１９】
第８の発明は、手持ち型電子装置の電池収容部に収容される電池用のコネクタであって、コネクタ本体部に凹部を設けることにより、端部に凸部が形成され、凹部に指先を入れて引き抜き方向に動かすことによって接続状態を解除可能であり、電池蓋で収容部を覆ったときに、当該凸部の端面が当該電池蓋に設けられた突起に近接または当接することにより、手持ち型装置との接続状態の解除を阻止する、コネクタである。
【００２０】
第９の発明は、線で連結された本体と電池用コネクタを有する電池、電池を収容する収容部、収容部を覆う電池蓋、および収容部の内部に設けられ、電池用コネクタと接続される内蔵コネクタを備える、手持ち型電子装置のコネクタ離脱防止方法であって、収容部に電池を収容し、かつ電池用コネクタと内蔵コネクタとを接続した状態で、当該収容部を電池蓋で覆った場合に、当該電池蓋に設けた突起を当該電池用コネクタに近接または当接するように配置することにより、当該内蔵コネクタと当該電池用コネクタの接続状態が解除されるのを阻止する、コネクタ離脱防止方法である。
【００２１】
第６ないし第９の発明においても、第１の発明と同様に、コネクタの離脱を防止することができる。
【発明の効果】
【００２２】
この発明によれば、電池の収容部に蓋を取り付けたときに、蓋に設けた突起によって電池用コネクタと内蔵コネクタの接続状態が解除されるのを阻止するので、コネクタが離脱するのを防止することができる。
【００２３】
この発明の上述の目的，その他の目的，特徴および利点は、図面を参照して行う以下の実施形態の詳細な説明から一層明らかとなろう。
【図面の簡単な説明】
【００２４】
【図１】図１はこの発明の一実施例の手持ち型電子装置を示す外観図である。
【図２】図２は図１に示す電池収容部へ収容され得る電池ユニットを例示する外観図である。
【図３】図３は電池ユニットの線に取り付けられているコネクタを示す斜視図である。
【図４】図４は電池収容部を覆う電池蓋に設けられる突起を例示する外観図である。
【図５】図５は電池収容部に電池ユニットを収容した様子を示す外観図である。
【図６】図６は図５に示したVIa−VIa断面図およびその断面図を用いて電池蓋を装着する途中の状態を示す図である。
【発明を実施するための形態】
【００２５】
以下、図面を参照して、本発明の一実施形態に係る、手持ち型電子装置（以下、単に「電子装置」ということもある。）１０について説明する。図１に示す電子装置１０は、ハウジング１２を有し、このハウジング１２は、ユーザが片手または両手で持つことができる大きさを有する。
【００２６】
ハウジング１２の裏面には、電池収容部１４が形成され、ハウジング１２の内部には、図示しないが、この電池収容部１４に収容された電池（図１では図示せず）からの電力の供給を受けて動作する電気回路やコンポーネントが設けられている。場合によっては、ハウジング１２の表面には、電池によって駆動され、その電気回路やコンポーネントからの出力を表示するディスプレイなどが設けられてもよい。
【００２７】
電池収容部１４には、電池ユニット（後述）を装着するための有底のボックス形状を有する装着部１６が形成される。装着部１６は、全体として横長の長方形の平面形状を有し、かつ厚みを有する電池ユニットを受容可能な所定の深さを有する。装着部１６は、この実施例では、上下の比較的長い内壁１６ａおよび１６ｂと左右の比較的短い内壁１６ｃおよび１６ｄで規定され、右側の内壁１６ｄの一部が切り欠かれていて、その切欠き部１６ｅを通して、装着部１６と線収容部１８とが連通する。
【００２８】
ハウジング１２の裏面の電池収容部１４において、装着部１６の上辺１６ａより上方には、電池蓋３２の爪３２ａ、３２ｂおよび３２ｃを挿入するための穴３４ａ、３４ｂおよび３４ｃが形成され、さらに装着部１６の下辺１６ｂの外方には、電池蓋３２をねじ止めするための穴３６が形成される。ただし、このねじは実施例ではタッピングねじであるため、穴３６には雌ねじは形成されていないが、形成されていてもよい。
【００２９】
切欠き１６ｅを通して装着部１６と連通する線収容部１８には、上部に、前述の電気回路のための回路基板３８が露出し、この回路基板３８を挟んで両側にガイド面４０が形成される。
【００３０】
ガイド面４０の奥部すなわち線収容部１８の上端には、雌型コネクタ４２が設けられる。この雌型コネクタ４２は、上記電気回路の所要部分に電気的に接続されている複数（実施例では４つ）の接続端子４４を内包する。このような雌型コネクタ４２が回路基板３８にはんだ付けされて固定される。
【００３１】
図１に示す電池収容部１４に収容する電池ユニット５０が図２に示される。図２に示す電池ユニット５０は横長の本体５２を含み、この本体５２の中に、いずれも図示しないが、たとえばリチウムイオン電池のような充電可能な電池、温度検出素子（たとえばサーミスタ）および制御回路が内蔵される。
【００３２】
本体５２の一部が突出する突出部５８が形成され、この突出部５８を通して実施例では４本の線６０ａ、６０ｂ、６０ｃおよび６０ｄが導出される。４本の線の内、線６０ａがたとえば赤色の線であり、電池電圧の（＋）を出力し、線６０ｂがたとえば灰色の線であり、先に説明した温度検出素子の出力信号を出力し、線６０ｃがたとえば黒色の線であり、電池電圧の（−）を出力し、線６０ｄがたとえば白色の線であり、電池ユニット５０の固有の識別信号を出力する。つまり、線６０ａはプラスの電源線であり、線６０ｂは検出した温度についての信号を出力する信号線であり、線６０ｃはマイナスの電源線であり、そして、線６０ｄは電池ユニット５０の識別信号を出力する信号線である。
【００３３】
ただし、これに限定される必要はない。別の実施例では、線６０ａが白色の線で識別信号を出力し、線６０ｂが黒色の線で電池電圧の（−）を出力し、線６０ｃが灰色の線で温度検出素子の出力信号を出力し、線６０ｄが赤色の線で電池電圧の（＋）を出力してよい。
【００３４】
識別信号は、実施例では、電池ユニット５０内の制御回路（図示せず）に抵抗器回路を形成しておき、電池ユニット５０が固有の抵抗値（電流値または電圧値）を線６０ｄから出力する。電子装置１０のコンピュータ（図示せず）では、識別信号に基づいて電池ユニット５０の製造業者を識別する。これは製造業者によって電池ユニット５０の電池特性（充電特性）が異なるからである。たとえば、電子装置１０においては、正しい電池特性（充電特性）に基づいて、電池残量の表示（出力）や充電を行う必要がある。
【００３５】
また、線６０ａ−６０ｄの先端には雄型コネクタ６２が取り付けられる（設けられる）。つまり、本体５２と雄型コネクタ６２とが線６０ａ−６０ｄで連結される。雄型コネクタ６２は４つの接続端子６４を含む。接続端子６４の各々は、雌型コネクタ４２のブレード型端子４４を両側から挟むことによってこの端子４４と電気的かつ機械的に接続される。つまり、雄型コネクタ６２をガイド面４０に沿って押し、雌型コネクタ４２に挿入（接続）すると、各端子６４が対応する端子４４を挟み、それによって端子６４が端子４４に接続される。
【００３６】
ここで、図３を参照して、雄型コネクタ６２について説明する。雄型コネクタ６２の上面には間隔を隔てて立ち上がる２つの立ち上がり片６６および６８が形成され、立ち上がり片６６および６８の間に凹部７０が形成される。逆に言うと、雄型コネクタ６２の上面に凹部７０を設けることにより、凸部（凸条）すなわち立ち上がり片６６および６８が形成される。この凹部７０に指先を入れて、指先を雄型コネクタ６２を引き抜く方向へ動かすことによって、雄型コネクタ６２を雌型コネクタ４２から取り外すことができる。このとき、指先は立ち上がり片６８の内側の面（内面）６８ａに当たる。したがって、立ち上がり片６８が、雄型コネクタ６２を引き抜くときの把手として機能する。このため、簡単に引き抜くことができる。
【００３７】
なお、当然のことではあるが、上述したように、雄型コネクタ６２を雌型コネクタ４２に接続する方向（接続方向）は、雄型コネクタ６２を引き抜く方向と逆方向である。
【００３８】
また、立ち上がり片６６を把手として機能させることも可能である。この場合には、立ち上がり片６６を指で摘んだ状態で矢印方向へ移動させればよい。
【００３９】
また、図４（ａ）、（ｂ）、（ｃ）に示すように、図１に示した電池蓋３２には、突起３２ｄが設けられる。ただし、突起３２ｄは、電池蓋３２がハウジング１２に装着されたときに、その内側となる面に設けられる。また、図４（ａ）は電池蓋３２の内側の面を斜め上方から見た斜視図である。図４（ｂ）は電池蓋３２の内側の面を正面から見た正面図である。図４（ｃ）は電池蓋３２を横から見た側面図である。
【００４０】
図４（ａ）および図４（ｂ）に示すように、突起３２ｄは、板部材３２０で形成され、その両側の端部３２０ａは電池蓋３２に固着される。また、板部材３２０は、爪３２ａ−３２ｃが設けられる方向に突出される。この突出した部分（突出部）３２０ｂが、雄型コネクタ６２の立ち上がり辺６８の外側の面（外面）６８ｂに近接または当接する（図６（ａ）参照）。つまり、突起３２ｄは、電子蓋３２をハウジング１２に装着したときに、突出部３２０ｂが雄型コネクタ６２の立ち上がり片６８の外側の面（外面）６８ｂに近接または当接する位置に配置される。言い換えると、電池ユニット５０が電池収容部１４に収容され、かつ雄型コネクタ６２と雌型コネクタ４２が接続され、電池蓋３２がハウジング１２に装着された場合に、板部材３２０の突出部３２０ｂは端部３２０ａよりも雄型コネクタ６２（雌型コネクタ４２）寄りに配置される。
【００４１】
また、図４（ｂ）に示すように、突起３２ｄは、電池蓋３２の内側の面をその爪３２ａ−３２ｃを上側にした状態で正面から見たときに、凸形状（山形状）を有していることが分かる。ただし、図４（ａ）および図４（ｃ）からも分かるように、板部材３２０の両側の端部３２０ａ以外は、電池蓋３２に固着されない。このため、たとえば、突出部３２０ｂを爪３２ａ−３２ｃとは反対方向に押すと、板部材３２０すなわち突起３２ｄは弾性変形する。このため、爪３２ａ−３２ｃ側に復元力が働く。
【００４２】
図５は図１に示した電池収容部１４に電池ユニット５０を収容し、雄型コネクタ６２を雌型コネクタ４２に接続した状態を示す。ただし、電池ユニット５０の収容と、雄型コネクタ６２の接続は、どちらが先に行われてもよい。図５に示す状態において、電池蓋３２を装着した場合における、VIa−VIaの断面図が図６（ａ）に示される。ただし、図６（ｂ）は、電池蓋３２を装着する途中の状態を示す図である。
【００４３】
図６（ａ）に示すように、電池蓋３２がハウジング１２に装着されると、たとえば、電池蓋３２に設けられた突起３２ｄが雄型コネクタ６２に接触（当接）する。具体的には、突起３２ｄに設けられた突出部３２０ｂが雄型コネクタ６２の立ち上がり片の外面６８ｂに当接する。このとき、作用反作用によって、突起３２ｄの突出部３２０ｂが押圧され、上述したような復元力が働く。したがって、雄型コネクタ６２は、雌型コネクタ４２側に付勢され、抜ける方向への移動を規制される。また、突起３２ｄは弾性変形するため、電池蓋３２と電池収容部１４の位置関係や電池蓋３２における突起３２ｄの位置のような製品毎の寸法誤差を、弾性変形する範囲において吸収することができる。
【００４４】
また、図示は省略するが、電池蓋３２がハウジング１２に装着された場合に、突起３２ｄが雄型コネクタ６２に当接しないで近接する場合がある。これは製品の寸法誤差に起因する。このような場合であっても、雄型コネクタ６２は、突起３２ｄによって雌型コネクタ４２の反対方向への移動を規制されるため、突起３２ｄが破損しない限り、雄型コネクタ６２が抜けることはない。つまり、雌型コネクタ４２と雄型コネクタ６２の接続状態が解除されることはない。
【００４５】
なお、詳細な説明は省略するが、雄型コネクタ６２が抜ける方向（引き抜く方向）へ移動されたとしても、端子４４と端子６４の接続状態が解除されないように、突起３２ｄの位置は設定されている。
【００４６】
このように、突起３２ｄは、電池蓋３２をハウジング１２に装着したときに、雌型コネクタ４２と雄型コネクタ６２の接続状態（嵌合状態）が解除されるのを阻止するために設けられる。この実施例では、突起３２ｄは、雄型コネクタ６２の挿入方向と逆向きへの移動を規制する。したがって、雄型コネクタ６２が離脱するのを防止することができる。
【００４７】
また、電池蓋３２をハウジング１２に装着する場合には、図６（ｂ）に示すように、電子蓋３２に設けられた爪３２ｃ（３２ａ、３２ｂも同様）がハウジング１２（電池収容部１４）に設けられた穴３４ｃ（３４ａ、３４ｂも同様）に挿入されるように、電池蓋３２がスライドされる。図６（ｂ）では、スライド方向（挿入方向）が矢印で示される。そして、電池蓋３２は、ハウジング１２の電池収容部１４の全体を覆うように配置され、ねじ止めされる。図３および図６（ｂ）から分かるように、雄型コネクタ６２の接続方向と、電池蓋３２のスライド方向とは同じであるため、突起３２ｄが雄型コネクタ６２に当接する場合には、雄型コネクタ６２を押し込む方向に力が働く。
【００４８】
この実施例によれば、電池蓋に突起を設け、電子装置の内部に設けられる雌型コネクタと電池ユニットの本体から導出された線に設けられた雄型コネクタの接続状態が解除されるのを阻止するので、雄型コネクタが離脱するのを防止することができる。特に、電池蓋はねじ止めされ、通常、電池収容部の内部を見ることが無いため、コネクタが離脱して電源が供給されなくなることにより、電子装置が故障したと誤解される恐れがあるが、そのような状態を防止することができる。
【００４９】
また、この実施例によれば、突起が雄型コネクタの立ち上がり片の外面に当接する場合には、弾性変形する突起の復元力により雄型コネクタは雌型コネクタ側に付勢されるため、単に離脱を防止するだけでなく離脱する方向への移動自体も抑制することができる。
【００５０】
なお、この実施例では、把手としても機能する立ち上がり片６８の外面６８ｂに当接または近接するように、電池蓋に突起を設けるようにしたが、これに限定される必要はない。たとえば、立ち上がり片６６の内面（立ち上がり片６８の内面と対向する面）に当接または近接するように、電池蓋に突起を設けるようにしてもよい。
【００５１】
また、この実施例では、電池ユニットの本体から導出された線に設けられたコネクタの離脱を防止するようにしたが、電池ユニット以外の他の電子部品をコネクタで接続する場合にも同様の構成を採用することができる。
【００５２】
さらに、この実施例では、電池蓋の装着時に内側となる面を正面から見た場合に、凸形状（山形状）となるように突起を形成したが、これに限定される必要はない。電池蓋の装着時に内側となる面に垂直にまたはほぼ垂直に延びる、単なる板状または棒状の突起を設けてもよい。つまり、突起は弾性変形しなくても、コネクタの接続状態が解除されるのを防止することができる。また、電池蓋の装着時に内側となる面を正面から見た場合に、上述の実施例で示した突起のうちの突出部の左側または右側だけを残した形状の突起を設けてもよい。つまり、突起は、板部材の一方の端部が電池蓋に固着され、それ以外の部分は電池蓋に固着されずに、他方の端部が一方の端部よりもコネクタ寄りであり、立ち上がり片の外面に近接または当接するように形成してもよい。
【符号の説明】
【００５３】
１０  …電子装置
１２  …ハウジング
１４  …電池収容部
１６  …装着部
３２  …電池蓋
３２ｄ  …突起
３８  …回路基板
４２  …雌型コネクタ
５０  …電池ユニット
６２  …雄型コネクタ
６６，６８  …立ち上がり片
【図１】
2014102920.tif 000003
【図２】
2014102920.tif 000004
【図３】
2014102920.tif 000005
【図４】
2014102920.tif 000006
【図５】
2014102920.tif 000007
【図６】
2014102920.tif 000008